(57)【特許請求の範囲】
【請求項１】
時間間隔△ｔ内で人体の血液中血糖レベルの変化△Ｇを推定する非侵襲性方法であって、
筋繊維の方向に平行な筋繊維を含む軟組織の一部を覆う前記人体の皮膚に接触させた状態で第１の４極性電極デバイスと、
筋繊維の方向を横断する前記軟組織の一部を覆う前記人体の皮膚に接触させた状態で第２の４極性電極デバイスを取付けるステップと、
時間間隔△ｔの間に、
前記第１の４極性電子デバイスにより低周波数で筋繊維の方向に平行な前記組織の伝導性値Ｃ‖,LFの相対変化△Ｃ‖,LF／Ｃ‖,LFと、
前記第２の４極性電子デバイスにより前記低周波数で筋繊維の方向を横断する前記組織の伝導性値Ｃ⊥,LFの相対変化△Ｃ⊥,LF／Ｃ⊥,LFを測定するステップと、
△Ｇを、
△Ｃ‖,LF／Ｃ‖,LF≒△Ｃ⊥,LF／Ｃ⊥,LFの場合  ０．０、
△Ｃ‖,LF／Ｃ‖,LF＞△Ｃ⊥,LF／Ｃ⊥,LFの場合  ＋ａ、
△Ｃ‖,LF／Ｃ‖,LF＜△Ｃ⊥,LF／Ｃ⊥,LFの場合  −ａ、
として推定するステップを含み、
ａは０．１５〜１．０μＭ／Ｌ秒の範囲にあり、
前記低周波数は１×１０4Ｈｚ〜５×１０4Ｈｚの範囲にあり、
“≒”は“＋／−２．５％〜＋／−７．５％の範囲内に等しい”を意味することを特徴とする非侵襲性方法。
【請求項２】
前記時間間隔△ｔは１５秒以内であることを特徴とする請求項１に記載の方法。
【請求項３】
前記時間間隔△ｔの間に、
前記第１の４極性電子デバイスにより高周波数で筋繊維の方向に平行な前記組織の伝導性値Ｃ‖,HFの相対変化△Ｃ‖,HF／Ｃ‖,HFと、
前記第２の４極性電子デバイスにより前記高周波数で筋繊維の方向を横断する前記組織の伝導性値Ｃ⊥,HFの相対変化△Ｃ⊥,HF／Ｃ⊥,HFを測定するステップと、
△Ｇを、
△Ｃ‖,LF／Ｃ‖,LF＞△Ｃ⊥,LF／Ｃ⊥,LFかつ△Ｃ‖,HF／Ｃ‖,HF≒△Ｃ⊥,HF／Ｃ⊥,HFの場合  ＋ａ、
△Ｃ‖,LF／Ｃ‖,LF＞△Ｃ⊥,LF／Ｃ⊥,LFかつ△Ｃ‖,HF／Ｃ‖,HF＞△Ｃ⊥,HF／Ｃ⊥,HFの場合  ＋ｂ
△Ｃ‖,LF／Ｃ‖,LF＜△Ｃ⊥,LF／Ｃ⊥,LFかつ△Ｃ‖,HF／Ｃ‖,HF≒△Ｃ⊥,HF／Ｃ⊥,HFの場合  −ａ
△Ｃ‖,LF／Ｃ‖,LF＜△Ｃ⊥,LF／Ｃ⊥,LFかつ△Ｃ‖,HF／Ｃ‖,HF＜△Ｃ⊥,HF／Ｃ⊥,HFの場合  −ｂ
として推定するステップをさらに含み、
ａは０．１５〜０．５μＭ／Ｌ秒の範囲にあり、
ｂは０．３〜１．０μＭ／Ｌ秒の範囲にあり、
前記高周波数は０．５×１０6Ｈｚ〜５×１０6Ｈｚの範囲にあることを特徴とする請求項１又は２に記載の方法。
【請求項４】
前記４極性電極デバイスは一対の内側電極及び一対の外側電極を備え、前記インピーダンス値を得るために前記低周波数又は前記高周波数を有する交流電流が前記４極性電極デバイスの一対の電極の１つに加えられ、このような電流によりもたらされる交流電圧が前記一対の電極の他の一の電極で測定されることを特徴とする請求項１〜３のいずれか１項に記載の方法。
【請求項５】
前記軟組織の一部を覆う前記人体の皮膚に接触させた状態で温度センサを取付けるステップと、
前記皮膚の温度Ｔを測定するステップと、
前記伝導性値を因数ｆにより補正するステップをさらに含み、
前記因数ｆは温度低下の場合の低減因数であり、
前記因数ｆは低周波数測定に対してＴ0からの温度差１°Ｃ当たり４．５〜６．５％であり、
Ｔ0は前記軟組織の一部を覆う前記人体の皮膚の予め測定した温度であることを特徴とする請求項１〜４のいずれか１項に記載の方法。
【請求項６】
前記因数ｆは高周波数測定に対してＴ0からの温度差１°Ｃ当たり１．５〜２．５％であることを特徴とする請求項３及び５に記載の方法。
【請求項７】
皮膚の測定温度Ｔはデジタル化され、前記因数ｆによる伝導性値の補正が計算により実行されることを特徴とする請求項５又は６に記載の方法。
【請求項８】
前記筋繊維の方向に平行な筋繊維を含む軟組織の一部を覆う前記人体の皮膚に接触させた状態で第１の４極性電極デバイスと、
前記筋繊維の方向を横断する前記軟組織の一部を覆う前記人体の皮膚に接触させた状態で第２の４極性電極デバイスを取付けるステップは、
放射状に対照的な配列を形成する８本の軸に沿う前記軟組織の一部を覆う前記人体の皮膚に接触させた状態で８つの４極性電子デバイスを取付けるステップと、
最小の伝導性を備える軸と最大の伝導性を備える軸を定義するために前記８つの４極性電子デバイスそれぞれに対する前記組織の伝導性値を測定するステップと、
最大の伝導性を備える軸に沿う前記４極性電極デバイスを前記第１の４極性電極デバイスとして使用するステップと、
最小の伝導性を備える軸に沿う前記４極性電極デバイスを前記第２の４極性電極デバイスとして使用するステップと、
を含むことを特徴とする請求項１〜７のいずれか１項に記載の方法。
【請求項９】
前記４極性電極デバイスは、相互に横断する方向に固定して配置されることを特徴とする第１の４極性電極デバイス及び第２の４極性電極デバイスを有する請求項１〜８のいずれか１項に記載の方法を実行する装置。
【請求項１０】
放射状に対照的な配列を形成する８本の軸に沿って配置される８つの４極性電極デバイスを有する請求項８に記載の方法を実行するための請求項９に記載の装置。
【請求項１１】
交流電流を発生する手段を有する請求項９〜１０のいずれか１項に記載の装置。
【請求項１２】
前記４極性電極デバイスの中心に位置する温度センサを有する請求項６の方法を実行するための請求項９〜１１のいずれか１項に記載の装置。
【発明の詳細な説明】
【技術分野】
【０００１】
本発明は人の血液中血糖レベル変化△Ｇを推定するための非侵襲性方法とその方法を実行する装置に関する。
【背景技術】
【０００２】
現在、様々の血液中血糖レベルの非侵襲性推定方法及び装置が知られている。即ち、レーザ光の分散と吸収、組合せ（Ｒａｍａｎ）分散（米国特許７０５４５１４，７４５４４２９，５４４８９９２），核磁気共鳴（ＮＭＲ）方法（米国特許７２９５００６）及びインピーダンス分光法（米国特許２００２／０１５５６１５，ＲＵ２００１／１１５０２８）が知られている。このような技術に基づく測定装置は非常にコストがかかり、今後も高コストであると予測される。従って個人の利用者にとっては、高コストが故に利用することができない。
【０００３】
厳密に言えば、血液中血糖レベル推定の間接的な特徴ではあるが、大衆が利用でき、期待できる方法として、インピーダンス法又は導電率測定法が考えられる。このような方法は、組織の電気量と血液中血糖濃度との間の関連性の存在を前提にしている。しかしながら、天然組織の電気的パラメータは、グルコースや他の物質の維持に直接依存するのみならず、それらの水和反応の条件にも依存している。これら全ての既知の生理学的機序にもかかわらず、好ましい、信頼できる、伝導性測定に基づいて動作する非侵襲性の血糖測定器はなお存在しない。
【発明の概要】
【０００４】
従って本発明の目的は、導電率測定法に基づいて、人の血液中血糖レベル変化の信頼できる非侵襲性推定方法を提供することである。本発明のさらなる目的は、その発明の方法を実行する低コストの装置を提供することである。
【０００５】
上記及び他の目的は、請求項１に記載の方法、および請求項１０に記載の装置により達成される。発明を実行する好適な方法及び発明の装置の好適な実施例は従属項に記載される。
【０００６】
人の血液中血糖レベル変化を推定するために、本発明は、血糖レベルと順に相関する細胞外液の浸透圧の変化により引き起こされる、細胞外及び細胞内の区画間の流体移動による筋肉組織の間質液区画の体積変化を用いる。細胞外液は、間質液の他に血液とリンパを含む。このような血糖レベルは全てほとんど同じである。
【０００７】
生物学的区画内の生体液の浸透圧は、原形質膜に対して浸透活性がありかつ浸透性の弱い物質の濃度に左右される。区画の１つにこのような物質が蓄積し、区画間の水の再分配により自らの利となるように浸透性レベルを均一にする。このような物質は、“水を身にまとう”。グルコースは、人体の中のこれらの物質の１つである。細胞膜は、グルコースに対し低い浸透性を有する。グルコースは、細胞外区画に留まり、細胞に入るには相当の時間を要する。
【０００８】
血漿を含む細胞外液の血糖レベルの変化は、非常に大きい。グルコースが血液に溶解する状態では、有機体はモバイルパワーリザーブを作成しないが、これは伝統的な生理学的説明によれば、溶解したグルコースが血液の浸透圧を強く引き上げるためである。従って、成体の組織液が約１５ｇのグルコースを含有することを考慮すれば、有機体に数十分を超えないパワーを供給するだけで十分である。浸透圧の観点からの同じ数値は、約３００に対して５〜６ｍＭ／Ｌ（ｍＭ／Ｌはリットル当たりのミリｍｏｌを表わす）であり、即ち２％に達する。我々の有機体内では、浸透圧の均一性は正確に２％の範囲内に維持される。即ち、血漿の浸透性が２％を超えるまたは未満の変動制限を受ける時、有機体は、保水又は減水の仕組みが働く。つまり、形成される二次的な尿が、基本的に低浸透圧又は高浸透圧となる。一方、多量の下痢、嘔吐、利尿薬及び同類の物の服用等例外を除けば、我々は炭水化物の形で１日に４００ｇ以上少なくとも２．５モルのグルコースを摂取する。その結果、血液中のグルコースが１日に２５〜３０回“修復”され、非常に動的である。
【０００９】
他方、細胞内では、血糖濃度はむしろ安定的かつ低レベル即ち１〜１．２ｍＭ／Ｌに維持される。細胞の中に入った後グルコース分子はリン酸化し、グルコース−６−リン酸となり、それは順次、解糖反応により“燃え落ちる”、又は重合して高分子グリコーゲンを形成する。
【００１０】
実際、いかなる別の非“グルコース”因子によって細胞外区画の浸透性が増加する場合も同様になる。例えば、ナトリウムがそのような因子である。しかしながら、ナトリウムにより血漿浸透性を２％引き上げるために、約２．５〜３ｇの塩化ナトリウムの１日の摂取量の半分を摂取することが必要である。通常、我々は食卓塩を数グラムも摂取しないし、数１０分の間に同量の電解質を失うこともない。しかし通常の食べ物、単に１個のおいしいケーキが、極めて通常（“習慣的な”）かつ“例外的”ではない状況の下で、まさしく上述する細胞外区画浸透性の変化をもたらす。自由アミノ酸が血液に侵入し、そこからその濃度が血液中ｍＭ／Ｌレベルに高い不変性で維持されるように使われる。脂肪酸はコロイドを形成してその浸透圧を“隠し”、自由分子の形で血液中にほとんど完全に存在しなくなる。細胞外液のミネラル成分はその浸透圧レベルの大部分を占めるが（９５％以上）しかしそれは生体の中ではむしろ安定に維持されており、その日常の循環はほとんどない。多くの例を挙げることができるが、しかし結論は明確である。大部分グルコースが血液及び他の細胞外液の浸透圧の日較差の可変成分となる。
【００１１】
結果として、細胞内のグルコースがむしろ一定レベルに維持され、基本的に細胞の外では変化する。それは間質区画体積の変動となる。細胞から細胞外区画へ移動する水によってグルコースが増大し間質液の体積も増大し、細胞の内側及び外側の生体液の浸透圧を均一にする。
【００１２】
間質液区画体積の変動は、本発明に従い、筋繊維を含む軟組織の一部を覆う人の皮膚に接触させた状態で取り付けられる電極を使って、非侵襲性の伝導性測定により検知される。
【００１３】
伝導性測定は、少なくとも比較的低い周波数１×１０4Ｈｚ〜５×１０4Ｈｚを有する交流電流を用いて実行される。細胞膜の高活性キャパシタンス抵抗により、このような周波数の電流は主にイオン電流であり、このイオン電流は細胞や他の膜構造を包むほぼ細胞外空間に沿って拡がる。これらの大きさは、細胞外液の電解質組成物及びその体積や有効断面積の大きさに依存する。脱水状の凍結乾燥した組織は電気絶縁体であり、実際には電流が流れない。
【００１４】
血液や細胞外液のリンパ成分は、血管を流れる。従って、測定される伝導性の一部は、本発明に対し関係する組織（特にクロスストライプ筋のような）の主に毛細血管の血管伝導性に起因する。しかしながら、人体において血管の体積は反射性液性調節の様々の生理学的機序により制御される。それは、血管中を循環する血液体積が一定になるように支援し、間質液区画体積とは異なり浸透圧や血糖レベルと相関しない。
【００１５】
毛細血管の伝導性の悪影響を除くため、本発明は独立に２方向に、即ち筋繊維に平行に及び横断的に組織の伝導性を測定する。毛細血管の方向がばらばらであるため、血管の体積の変化に起因する伝導性の変化は両測定方向でほとんど差が出ない。他方、筋繊維の方向に平行な伝導性は、筋繊維に横断的な伝導性に比べ、間質液の体積で決定されるより大きな体積である。従って、間質区画の体積変化は、筋繊維に横断的な伝導性よりもより大きな影響を平行な伝導性に与える。
【００１６】
このような関係を利用して、本発明は筋繊維の方向に平行に測定された伝導性の相対的変化が筋繊維に横断的に測定された伝導性の相対的変化より大きいか又は小さい場合、所定の期間△ｔ内に（浸透圧の変化により、及び順次間質液の血糖レベルの変化により）影響を受けた間質区画の体積変化を推定する。筋繊維の方向に平行に測定された伝導性の相対的変化が筋繊維に横断的に測定された伝導性の相対的変化とほとんど同じの場合、このような変化は推定されない。後者の場合、伝導性相対変化は、血管の体積のみの変化に起因する。
【００１７】
筋繊維の方向に平行に測定された伝導性の相対的変化が筋繊維の方向に横断的に測定された伝導性の相対的変化より大きい場合、間質液の血糖レベルの正変化を推定する。筋繊維の方向に平行に測定された伝導性の相対的変化が筋繊維の方向に横断的に測定された伝導性の相対的変化より小さい場合、間質液の血糖レベルの負変化を推定する。
【００１８】
血糖レベル変化の絶対値は０．１５〜１．０μＭ／Ｌ秒の範囲に推定される。
【００１９】
上記伝導性変化は、１５秒を超えない測定時間間隔△ｔ、特に２〜１２秒以内の十分な精度で測定できる。
【００２０】
電極と皮膚表面の接触抵抗により測定された伝導性には別の悪影響がある。不運にも、このような抵抗もまた血液中血糖濃度に依存している。血液中血糖レベルの増加は、皮膚表面の乾燥を引き上げて接触抵抗が増加する。汗と水分が減少する。その結果、細胞外液体積の増加の結果測定される伝導性増加するが、接触抵抗の増加の結果減少する。
【００２１】
接触抵抗の影響を除くため、本発明は１対の外側及び１対の内側電極を備える４極性電極配列を用いる。電流はこのような電極のひとつの対（好適には外側の対）に加えられ、他方、電極の他の対の間で電圧が測定される。接触抵抗の影響の除去は、両方の対の電極と皮膚表面との接触抵抗はほとんど差が無く、相互に補償し合うという事実に因る。当然のことながら、４極性電極は筋繊維に平行及び横断的な測定の両方に対して使われる。
【００２２】
本発明を実行する好適な方法に従って、０．５×１０6Ｈｚ〜５×１０6Ｈｚの範囲の比較的高い周波数を有する第２交流電流を追加使用して導電率測定法が実行される。このような周波数の電流は、原形質膜はこれらに対しほぼ透過的であり、そのような電流のサイズは全組織液，細胞内及び細胞外の有効断面積に依存するので、大部分がバイアス電流である。追加の高周波数測定も人の同一の組織の筋繊維の方向に平行及び横断的に実行され、４極性電極が使われる。
【００２３】
測定される高周波数伝導性の相対的変化は、血糖レベル変化のより正確な推定を行うために使われる。筋繊維に横断的に測定された伝導性の相対的変化に較べて筋繊維の方向に平行に測定された伝導性の相対的変化が大きくなるあるいは小さくなることが高周波数の中でも認めることができる場合、血糖レベルのより大きな変化（通常それは低周波数測定で検知されるものである）が期間△ｔ内にあるものと推定される。そうでなければ、即ち、そのような差が高周波数の中に発生しないとき、血糖レベルの変化はより小さいと想定される。
【００２４】
血糖レベルの変化の絶対値は、変化が小さい場合は０．１５〜０．５μＭ／Ｌ秒の範囲にあると推定され、変化が大きい場合は０．３〜１．０μＭ／Ｌ秒の範囲にあると推定される。
【００２５】
低周波数測定と比較すれば、高周波数測定は全組織液に関し細胞外液の変化に対して低感度である。一方、電極／皮膚接触の重要性はより低い。本発明を実行するさらに好適な方法に従って、温度に依存する測定された伝導性値を補正するために、皮膚と接触する温度センサにより追加的に組織の一部の温度が測定される。
【００２６】
一般的に、生体液のような電解質固有の伝導性は温度に依存する。温度が上昇するとイオンの伝導性が上昇する。さて、血液中グルコースの成長は、基本的タンパク同化ホルモンであるインスリンの放出を開始させる。異化作用は一時的に抑制され、結果として、体温が低下する。このことは伝導性に減少効果をもたらし、それは細胞外液の区画体積の増加により引き起こされる伝導性に対するグルコースの影響の増加に対し逆の効果となる。
【００２７】
本発明は、温度センサにより測定スポットの近くの皮膚温度を測定し、温度補正因数を伝導性測定レベルに導入することにより、この影響を説明する。伝導性値を補正するために、高及び低周波数で異なる温度補正因数が使われる。高周波数の伝導性は、１°Ｃ当たり１．５〜２．５％の温度減少に伴い減少し、一方低周波数の伝導性は高周波数伝導性に対し２倍以上減少する。低周波数に対する温度補正因数は、４．５〜６．５％ｐｅｒ°Ｃである。
【００２８】
測定結果が信頼できるものとなるために、周囲温度は極端（例えば−５°Ｃ以下又は２５°Ｃ以上）となるべきでなく、短時間に大きく変動するものであってはならない。第２温度センサは周囲温度測定のために使用することができ、例えばそのような場合に警告シグナルを出すように使うことができる。
【００２９】
本発明に適した周波数範囲は、上述のように、低周波数に対しては、１×１０4Ｈｚ〜５×１０4Ｈｚであり、高周波数に対しては、０．５×１０6Ｈｚ〜５×１０6Ｈｚである。１０ＫＨｚ未満に低周波数を低下させることは、電極の極性や組織−電極間接触の属性に基づくインピーダンス依存度に起因して厳しい制限を受ける。１０ＭＨｚ以上に高周波数を増加させることは、誘導及びキャパシタ（ジェット）妨害を誘発する。伝導性は周囲の素子の位置、素子のサイズ及び伝導性に依存する。
【００３０】
単に２つの４極性電極デバイスの代わりに８つの４極性電極デバイスを使うことは、人体組織の特定スポットにおける４極性電極デバイスの正確及び／又は最良の測定方向の発見に有効である。８つの４極性電極デバイスは放射状に対照的な配列を形成する８本の軸に沿った前記スポットにおいて前記人の皮膚に接触させた状態で取り付けられる。前記組織の伝導性値は、前記８つの４極性電極デバイスのそれぞれを用いて計測され、最小の伝導性及び最大の伝導性を備える軸を特定する。最大の伝導性を備える軸に沿って配置する４極性電極デバイスは、筋繊維の方向に沿う測定に使用される。同様に、最小の伝導性を備える軸に沿って配置する４極性電極デバイスは、筋繊維の方向を横断する測定に使用される。
【００３１】
このように、組織の伝導性の異方性を反映した正確及び／又は最良の測定方向は、（筋肉又は血管の）解剖学的ランドマークによる先験性を用いること必要とせず、実際の観察に基づく測定結果として得られる。このように、本発明の方法の適用を求める組織のスポットにおいて、前記解剖学的ランドマークについて知識のない人々によっても、本発明の方法を正しく適用することができる。
【００３２】
添付図面を参照して、本発明の実施例、本発明を実行する好ましい方法を以下に説明する。
【図面の簡単な説明】
【００３３】
【図１】２つの伝導性センサを有する本発明のブロック図である。
【図２】測定サイクルを示すタイムチャートである。
【図３】図１の装置の２つの伝導性センサのいずれか１つを示す図である。
【図４】２つの伝導性センサの電極の好適な幾何学的相対配置を示す図である。
【図５】図１の装置の少なくとも１部をカフにより装着した患者の腕を示した図である。
【図６】従来の侵襲性測定システムにより得られるデータと比較して本発明に従って得られる３人の患者の血糖レベル変化を示すタイムチャートである。
【図７】従来の侵襲性測定システムにより得られるデータと比較して本発明に従って得られる３人の患者の血糖レベル変化を示すタイムチャートである。
【図８】従来の侵襲性測定システムにより得られるデータと比較して本発明に従って得られる３人の患者の血糖レベル変化を示すタイムチャートである。
【図９】本発明の好適な実施例で使用する合計８個の伝導性センサの電極の好適な幾何学的相対配置を示す図である。
【発明を実施するための形態】
【００３４】
図１の装置は、デジタル信号処理装置（ＤＳＰ）１，ランダムアクセスメモリ（ＲＡＭ）２，リードオンリメモリ（ＲＯＭ）３，コンピュータ入出力（インターフェイスＲＳ２３２）４，Ａ／Ｄ変換器（ＡＤＣ）５，マルチプレクサ（ＭＵＸ）６，直交検出器７，ダブル周波数発振器８，デジタルポテンショメーター９，電流センサ１０，２個の伝導性センサスイッチ１１ａ及び１１ｂ，２個の差動増幅器１２，／１及び１２／２，２個の伝導性センサ１３及び１４、及び２個の温度センサ１５及び１６を備えている。
【００３５】
デジタル信号処理装置１は測定処理を行い、Ａ／Ｄ変換器５から入力される測定結果を受け入れ、信号の予備処理を行い、それを外部コンピュータあるいはＰＤＡ（図示せず、装置の一体部分ではない）へとインターフェイス４を介して伝送する。処理装置動作プログラムは、再プログラム可能なＲＯＭ３に記憶されている。
【００３６】
装置は以下のように動作する。発振器８が交流電圧を交互にＦ１（３０ｋｈｚ）及びＦ２（１ＭＨｚ）周波数で形成する。このような電圧が、デジタルポテンショメーター９、電流センサ１０及びセンサ１３と１４の電流入力電極“ＩＮ”（図３）に対して電圧を交互に接続するスイッチングデバイス１１ａに加わる。さらに、発振器８は、同期化のために直交検出器７に加えられる制御信号を形成する。
【００３７】
処理装置１により制御されるデジタルポテンショメーター９は、個人の初期皮膚接触抵抗に適した伝導性センサ１３及び１４の通電電極“ＩＮ”（図３）の電圧の大きさを自動的に維持する。これにより、伝導性測定のダイナミックレンジが拡張し、測定精度が向上する。
【００３８】
伝導性センサ１３及び１４の中央電極“ＯＵＴ”（図３）からの信号は、差動増幅器１２により増幅され、第２伝導性センサスイッチ１１ｂを介して、直交検出器７のＵ〜により特定される入力の１つに入る。通電電極“ＩＮ”（図３）の電流に比例する電圧は、直交検出器７のＩ〜により特定される第２入力に対し電流センサ１０から加えられる。
【００３９】
直交検出器７には、４つの出力がある。Ｕ02により特定される出力において、直交検出器７は、時間ｔ0においてＵ〜により特定される入力でＡＣ信号の２乗に比例するＤＣ信号を提供する。Ｕπ/22により特定される出力において、直交検出器７は、時間ｔπ/2においてＵ〜により特定される入力でＡＣ信号の２乗に比例するＤＣ信号を提供する。Ｉ02により特定される出力において、直交検出器７は、時間ｔ0においてＩ〜により特定される入力でＡＣ信号の２乗に比例するＤＣ信号を提供する。Ｉπ/22により特定される出力において、直交検出器７は、時間ｔπ/2においてＩ〜により特定される入力でＡＣ信号の２乗に比例するＤＣ信号を提供する。
【００４０】
このようなＤＣ信号は、デジタル化されたマルチプレクサ（ＭＵＸ）６及びＡ／Ｄ変換器（ＡＤＣ）５を介してデジタル信号処理装置（ＤＳＰ）１へ入力する。２つの温度センサ１５と１６からの連続する電圧もまたマルチプレクサ６及びＡ／Ｄ変換器５を介して、デジタル化されてデジタル信号処理装置（ＤＳＰ）１へ入力する。
【００４１】
デジタル信号処理装置（ＤＳＰ）１は直交検出器７の４つの出力信号から以下に示すように平均値ＵとＩを計算する。
Ｕ＝ＳＱＲＴ（Ｕ02＋Ｕπ/22）
Ｉ＝ＳＱＲＴ（Ｉ02＋Ｉπ/22）
このような平均値Ｕ及びＩから以下の式により伝導性値を計算する。
Ｃ＝Ｉ／Ｕ
【００４２】
このような伝導性値は、温度センサ１５により得られる温度値を使ってさらに補正される。
【００４３】
温度センサ１６により得られる温度値に応じて、警告信号はデジタル信号処理装置（ＤＳＰ）１によって作成されてもよい。
【００４４】
装置は周期的に動作する。図２は全サイクルと以下のサイクルの一部を示す。
【００４５】
直交検出器７の入力Ｕ〜が第２伝導性センサスイッチ１１ｂによりセンサ１３に接続されて、あるサイクルが始まる。先ずダブル周波数発振器８は、第１伝導性センサスイッチ１１ａによりセンサ１３へ加えられる周波数Ｆ１を生成する。次いで、ダブル周波数発振器８は第１伝導性センサスイッチ１１ａによりセンサ１３へ加えられる周波数Ｆ２を生成する。温度センサ１５と１６からそれぞれ以下のような温度値が得られ、これによりサイクルのうち前半のサイクルが終了する。後半のサイクルでは、周波数Ｆ１とＦ２が第１伝導性センサスイッチ１１ａによりセンサ１４に対し加えられるという違いはあるが、前半のサイクルの個々のステップが繰り返される。加えて、直交検出器７の入力Ｕ〜も第２伝導性センサスイッチ１１ｂによりセンサ１４に接続される。
【００４６】
データ記憶、すでに収集したデータの予備処理、コンピュータへのデータ伝達もまた、図２に示されるように実施される。
【００４７】
図２の例では、両センサによる全サイクルの高及び低周波数伝導性測定には１２秒要する。ここで、このサイクルは例示的なものであるが、数秒のみに短縮できる。
【００４８】
装置は、充電可能のバッテリでパワー供給される。
【００４９】
４極性電極配列は、両伝導性センサ１３と１４のために使われる。そのようなタイプのセンサの“ＩＮ”と“ＯＵＴ”電極の相対位置が図３に示されている。図４は共通平面ベースの両センサ１３と１４の４極性電極の好適な相互垂直配置を示している。温度センサ１５は同一ベースの８電極の中心に位置している。ベースは、例えば患者の腕に取り付けるのに適したカフにより形成されても良い。
【００５０】
図５には、カフ１７が取り付けられる患者の腕を示す。患者の腕には、カフ１７とともに、皮膚と接触するカフの内側のセンサ１３、１４の見えない電極、及び見えない温度センサ１５が取り付けられる。カフ１７の外側には小型ケース１８が設けられ、小型ケース１８はバッテリとともに発明装置の上記電子部品を好適に収納する。記載するコンピュータへのデータの伝送は、ケースとコンピュータ間のケーブル接続又は無線を介して達成される。
【００５１】
ここで、腕による測定は一例であり、軟筋肉組織で覆われる人体の他の部位での測定も可能である。
【００５２】
特に、上記実施例において、本発明の装置は、容易に持ち運びが可能であり、夜間あるいは睡眠時間を含む長時間の持ち運びにも深刻な支障は生じない。それにより、測定サイクルは安定して繰り返される。
【００５３】
血液中血糖レベルの変化がモニタされ、タイムチャートに示されるように好適に記憶されるところから説明する。図６〜８は、本発明に従ってそれぞれ数時間に亘り得られる２型糖尿病の３人の患者の血糖レベルの変化を示すタイムチャートである。座標の横軸は、時間［単位］を表わす。座標の縦軸は、ｍｍｏｌ／Ｌ単位の血糖濃度を表わす。
【００５４】
尚、本発明は、血糖レベルの変化を提供するが、絶対値を提供するものではない。絶対値を得るためには、いくつかの較正が必要だが、例えば測定期間の開始時に標準侵襲性方式により実行することができる。
【００５５】
図６〜８には、よく知られ広く使われているＡＣＣＵＣＨＥＣＫ（登録商標）システムにより得られる血糖値が比較のために示されている。
【００５６】
図６は、４９歳の女性患者により実行される血糖負荷試験を示している。患者は、９時５１分〜９時５２分の間に、１３０ｍｌの水に対し、７０ｇのグルコースを摂取した。
【００５７】
図７は、食後の１０時４０分〜１０時４８分の間の、８１歳の男性患者の血液中血糖レベルの変化を示している。
【００５８】
図８は、食後の１０時００分〜１０時０５分の間の、６９歳の女性患者の血液中血糖レベルの変化を示している。
【００５９】
図６〜８のカーブは、本来段差のあるカーブではあるが、理論値に沿う滑らかな血糖レベル変化の全体の傾向を良く表わしている。
【００６０】
既に述べたように、図４は、共通の平面ベースのセンサ１３と１４の４極性電極の好適な相互配置を示している。図９は、本発明のより好ましい実施例に基づく共通平面ベースの合計８つのセンサの４極性電極の配置を示している。８つのセンサの各４つの電極は、放射状に対照的な配列を形成する８本の軸ａ−ｈに沿って配置される。さらに温度センサ１５は、その回転軸の配列の中央に位置し、その中心は全ての４極性電極デバイスの中心でもある。図４及び図５に示すように、ベースは患者の腕に取り付けられるのに適したカフ１７により形成すされてもよい。
【００６１】
図９の構成により、最も高い伝導性差異のある方向を自動的に見つけることができる。このため、最初のテスト測定が各軸ａ−ｈに沿って連続的に実行され、最大の伝導性の軸と最小の伝導性の軸が定義される。伝導性が最大となる軸に沿って配置されるセンサは、図１のセンサ１３のように使われる。同様に、伝導性が最小となる軸に沿って配置されるセンサは、図１のセンサ１４のように使われる。
【符号の説明】
【００６２】
１：デジタル信号処理装置（ＤＳＰ）
２：ランダムアクセスメモリ（ＲＡＭ）
３：リードオンリメモリ（ＲＯＭ）
４：コンピュータ入力−出力（インターフェイスＲＳ２３２）
５：Ａ／Ｄ変換器（ＡＤＣ）
６：マルチプレクサ（ＭＵＸ）
７：直交検出器
８：ダブル周波数発振器
９：デジタルポテンショメーター
１０：電流センサ
１１ａ：第１伝導性センサスイッチ（平行かつ横断的）
１１ｂ：第２伝導性センサスイッチ（平行かつ横断的）
１２／１：差動増幅器
１２／２：差動増幅器
１３：伝導性センサ（Ｃ（１）平行）
１４：伝導性センサ（Ｃ（２）横断的）
１５：温度センサ（Ｔ（１）スキン）
１６：温度センサ（Ｔ（２）周囲）
１７：カフ
１８：ケース
ａ−ｈ：方向軸
【図１】
0005661628.tif 000002
【図２】
0005661628.tif 000003
【図３】
0005661628.tif 000004
【図４】
0005661628.tif 000005
【図５】
0005661628.tif 000006
【図６】
0005661628.tif 000007
【図７】
0005661628.tif 000008
【図８】
0005661628.tif 000009
【図９】
0005661628.tif 000010